(57)【要約】【課題】太陽電池パネルの寸法サイズに応じて容易に調整して支持させることができる太陽電池パネルを用いた外装構造を提供する。【解決手段】本発明は、太陽電池パネル１の流れ方向の端縁の裏面側に継手捨板２を配して接続すると共に、桁行き方向の端縁を横支持材３にて支持して接続し、該横支持材３を下地５に固定した縦支持材４に支持させる外装構造であって、縦支持材４，４'は、横支持材の端縁を支持する箇所と、端縁以外を支持する箇所に配され、端縁以外を支持する箇所に配されている縦支持材４'は、支持部４３に上向きの取付ボルト４ｇを保持して、横支持材３を取り付け固定しており、継手捨板２は排水路２１を、横支持材３は流水空間３１を、縦支持材４は排水空間４１を備え、排水路２１は流水空間３１に連絡され、流水空間３１は排水空間４１に連絡されていることを特徴とする。【選択図】図１
2014185513.tif 000002
【特許請求の範囲】
【請求項１】
太陽電池パネルの流れ方向の端縁の裏面側に継手捨板を配して接続すると共に、桁行き方向の端縁を横支持材にて支持して接続し、該横支持材を下地に固定した縦支持材に支持させる太陽電池パネルを用いた外装構造であって、
前記縦支持材は、横支持材の端縁を支持する箇所と、端縁以外を支持する箇所に配され、前記端縁以外を支持する箇所に配されている縦支持材は、支持部に上向きの取付ボルトを保持して、横支持材を取り付け固定しており、
前記継手捨板は排水路を、前記横支持材は流水空間を、前記横支持部材の端縁を支持する箇所に配されている縦支持材は排水空間を備え、前記排水路は前記流水空間に連絡され、前記流水空間は前記排水空間に連絡されていることを特徴とする太陽電池パネルを用いた外装構造。
【請求項２】
縦支持材は、下地への固定部を備える第１部材と、横支持材を支持する支持部及び排水空間を形成する排水部を備える第２部材と、からなることを特徴とする請求項１に記載の太陽電池パネルを用いた外装構造。
【請求項３】
縦支持材は、下地への固定部を備える第１部材と、横支持材を支持する支持部及び排水空間を形成する排水部を備える第２部材と、からなり、第２部材に設けた係止片に係合させた連結板を第１部材に固着具にて固定して連結したことを特徴とする請求項２に記載の太陽電池パネルを用いた外装構造。
【請求項４】
縦支持材を構成する第１部材は、固定部の左右に間隔を隔てて起立部を備え、該起立部間の間隔に第２部材を取り付けて連結したことを特徴とする請求項２又は３に記載の太陽電池パネルを用いた外装構造。
【請求項５】
縦支持材を構成する第２部材は、支持部及び排水部の裏面側に、上向きの取付ボルトを保持できる保持部が設けられ、横支持材の端縁とそれ以外の箇所では、前記第２部材を上下に反転させて横支持材を支持していることを特徴とする請求項２〜４の何れか一項に記載の太陽電池パネルを用いた外装構造。
【発明の詳細な説明】
【技術分野】
【０００１】
本発明は、室内側から見上げた際に、隙間等を生ずることがなく、美麗な天井構造を形成することができ、特に天井材（天井仕上げ）を構築しない建築物に有用な構造である太陽電池パネルを用いた外装構造に関する。
【背景技術】
【０００２】
光エネルギーを電気エネルギーに変換する太陽光発電は、クリーンエネルギーを得る手段として幅広い利用が期待され、近年、社会的情勢及び政治的情勢が相俟って建築物の屋根、壁等に適用されるようになり、生活に必要な電力を補うシステムとして実用化されている。
【０００３】
新設や既設の屋根の上に太陽電池パネルを取り付ける場合には、大別して屋根材自体に太陽電池パネルを一体的に組み込む方法と、屋根面に支持架台などの取付部材を固定してその上に太陽電池パネルを取り付ける方法とが知られている。
前記屋根材自体に太陽電池パネルを一体的に組み込む方法は、屋根材を製造する技術と太陽電池パネルを製造する技術とが必要であるとともにコストの上昇が避けられず様々な仕様の建物（屋根）に適用することは到底困難であった。
【０００４】
一方、屋根面に取付部材を介して太陽電池パネルを取り付ける方法としては、鋼材を桁状に組み合わせて支持架台（取付部材）とするため、使用する太陽電池パネルのサイズに応じて異なる支持架台を用いる必要があり、例えば特許文献１に記載の構造が提案されている。
【先行技術文献】
【特許文献】
【０００５】
【特許文献１】特開２００１−１２３６１０号公報
【発明の概要】
【発明が解決しようとする課題】
【０００６】
しかしながら、前記特許文献１では、縦桟、横桟を格子状に配設し、その格子部分に太陽電池パネルを配設しているが、屋根下地の垂木に縦桟を固定し、縦桟間に横桟を配しているものであるが、垂木間隔（縦桟間隔）とモジュール幅が一致しないと施工ができない（成立しない）構造であり、どのようなサイズのモジュールにも対応できるものではなかった。
【０００７】
そこで、本発明は、太陽電池パネルを構築することで屋根としての雨仕舞を構成し、さらに太陽電池パネルの寸法サイズに応じて容易に調整して支持させることができる太陽電池パネルを用いた外装構造を提供することを目的とする。
【課題を解決するための手段】
【０００８】
本発明は、上記に鑑み提案されたもので、太陽電池パネルの流れ方向の端縁の裏面側に継手捨板を配して接続すると共に、桁行き方向の端縁を横支持材にて支持して接続し、該横支持材を下地に固定した縦支持材に支持させる太陽電池パネルを用いた外装構造であって、前記縦支持材は、横支持材の端縁を支持する箇所と、端縁以外を支持する箇所に配され、前記端縁以外を支持する箇所に配されている縦支持材は、支持部に上向きの取付ボルトを保持して、横支持材を取り付け固定しており、前記継手捨板は排水路を、前記横支持材は流水空間を、前記横支持部材の端縁を支持する箇所に配されている縦支持材は排水空間を備え、前記排水路は前記流水空間に連絡され、前記流水部は前記排水空間に連絡されていることを特徴とする太陽電池パネルを用いた外装構造に関するものである。
【０００９】
また、本発明は、前記外装構造において、縦支持材は、下地への固定部を備える第１部材と、横支持材を支持する支持部及び排水空間を形成する排水部を備える第２部材と、からなることを特徴とする太陽電池パネルを用いた外装構造をも提案するものである。
【００１０】
また、本発明は、前記外装構造において、縦支持材は、第２部材に設けた係止片に係合させた連結板を第１部材に固着具にて固定して連結したことを特徴とする太陽電池パネルを用いた外装構造をも提案する。
【００１１】
また、本発明は、前記外装構造において、縦支持材を構成する第１部材は、固定部の左右に間隔を隔てて起立部を備え、該起立部間の間隔に第２部材を取り付けて連結したことを特徴とする太陽電池パネルを用いた外装構造をも提案する。
【００１２】
さらに、本発明は、前記外装構造において、縦支持材を構成する第２部材は、支持部及び排水部の裏面側に、上向きの取付ボルトを保持できる保持部が設けられ、横支持材の端縁とそれ以外の箇所では、前記第２部材を上下に反転させて横支持材を支持していることを特徴とする太陽電池パネルを用いた外装構造をも提案する。
【発明の効果】
【００１３】
本発明の太陽電池パネルを用いた外装構造は、太陽電池パネルを構築することで屋根としての雨仕舞を構成し、選定した太陽電池パネルに応じ、流れ方向に隣接する端縁の裏面側には、継手捨板を配して接続し、桁行き方向に隣接する端縁を横支持材で支持して接続するものであり、継手捨板に排水路を、横支持材に流水空間を、縦支持材に排水空間を設け、排水路を流水空間に連絡し、流水空間を排水空間に連絡しているので、雨水や結露水は、排水路を流れ方向に、次に流水空間を桁行き方向に、そして排水空間を流れ方向に流下するものとなる。
したがって、太陽電池パネルを構築することで屋根としての雨仕舞を構成でき、各メーカーの様々な太陽電池パネルの寸法に応じて適宜に調整してその流れ方向の端縁の裏面側に継手捨板を配し、桁行き方向の端縁を横支持材で支持するように配せばよく、各種の下地又は外装構造の上に、各メーカーの様々な太陽電池パネルを好みに応じて選択して取り付けることができる。そして、本発明の外装構造は、雨仕舞を有し、取付対象（新設・改修）に制限を受けることがなく、モジュールサイズに関係なく敷設が行うことができる。
【００１４】
また、縦支持材が、横支持材の端縁を支持する箇所と、端縁以外を支持する箇所に配されているので、横支持材は、その端縁ばかりでなくその中間位置においても縦支持材にて支持されるので、より安定に支持されるものとなり、それに伴って太陽電池パネルの取付安定性もまたより一層向上する。
【００１５】
また、少なくとも横支持材の端縁以外を支持する箇所に配されている縦支持材は、支持部に上向きの取付ボルトを保持して、横支持材を取り付け固定しているので、横支持材を強固に取り付けることができ、それに伴って端縁は支持するだけでよいものとなる。
【００１６】
また、縦支持材が、下地への固定部を備える第１部材と、横支持材を支持する支持部及び排水空間を形成する排水部を備える第２部材と、からなる場合、第１部材はピース材でもよく、各種の排水部材を第２部材として組み合わせればよく、簡易構成の各部材を組み合わせて縦支持材とする際には特に製作費用などを抑えることができる。
【００１７】
また、縦支持材が、第２部材に設けた係止片に係合させた連結板を第１部材に固着具にて固定して連結した場合、第１部材と第２部材とが連結板及び固着具によって強固に一体化されたものとなる。
【００１８】
また、縦支持材を構成する第１部材が、固定部の左右に間隔を隔てて起立部を備え、該起立部間の間隔に第２部材を取り付けて連結した場合、第２部材を嵌合状に取り付けることができるため、その取り付けが極めて容易となる。
【００１９】
さらに、縦支持材を構成する第２部材の支持部及び排水部の裏面側に、上向きの取付ボルトを保持できる保持部が設けられ、横支持材の端縁とそれ以外の箇所では、前記第２部材を上下に反転させて横支持材を支持している場合、排水部を必要とする端縁では保持部兼支持部にて横支持材を安定に支持し、排水部を必要としないそれ以外の箇所では、上下に反転させて排水部の裏面に設けた保持部に取付ボルトを保持させて横支持材を取り付け固定することができる。
【図面の簡単な説明】
【００２０】
【図１】本発明の外装構造の一実施例（第１実施例）の要部を示す断面図である。
【図２】前記第１実施例の要部を示す側断面図である。
【図３】（ａ）前記第１実施例に用いた各部材を拡大して示すものであり、太陽電池パネルやフレーム材、（ｂ）継手捨板を示す断面図及び側断面図、（ｃ）横支持材及び横桟カバーの断面図、（ｄ）縦支持材の第２部材（第１部材を除く縦支持材）の断面図、（ｅ）縦支持材の第１部材の断面図及び側断面図である。
【図４】本発明の外装構造の他の一実施例（第２実施例）の要部を示す断面図である。
【図５】前記第２実施例の要部を示す側断面図である。
【図６】（ａ）前記第２実施例に用いた縦支持材のうち、横支持材の端縁の裏面側に配する部材を拡大して示す断面図、（ｂ）横支持材の長さの中程の裏面側に配する縦支持材を拡大して示す断面図、（ｃ）それらの側断面図である。
【発明を実施するための形態】
【００２１】
本発明の太陽電池パネルを用いた外装構造は、太陽電池パネルと、該太陽電池パネルの流れ方向に沿う端縁の裏面側に配される継手捨板と、前記太陽電池パネルの桁行き方向に沿う端縁を支持する横支持材と、該横支持材を支持する縦支持材と、からなり、前記継手捨板に設けた排水路は前記横支持材に設けた流水空間に連絡され、前記流水空間は前記縦支持材に設けた排水空間に連絡されている構成である。
【００２２】
前記太陽電池パネルは、太陽エネルギー変換モジュール（以下、太陽電池という）を備え、横支持材に端縁を支持されるものであって、特にそれ以外の構成を限定するものではない。
例えば太陽電池を複数（並列状に）備える構成でもよいし、後述する図示実施例のように、その周縁をシール材を介してフレームで取り囲んだ構成としてもよい。
【００２３】
前記太陽電池パネルにおける太陽電池としては、多結晶，単結晶，アモルファス等、どのようなものを用いてもよい。一般的に太陽電池は、導電性基体、裏面反射層、光電変換部材としての半導体層、透明導電層から構成され、上記導電性基体としては、例えば鋼板、銅、チタン、アルミニウム、ステンレス、カーボンシートを用いることができ、その他にも導電層が設けられたポリエステル、ポリイミド、ポリエチレンナフタライド、エポキシ等の樹脂フィルムやセラミックス等を用いることもできる。前記半導体層は特に限定するものではなく、アモルファスシリコン半導体、多結晶シリコン半導体、結晶シリコン半導体、銅インジウムセレナイド等の化合物半導体を用いることができる。
【００２４】
前記太陽電池パネルは、前述のようにその周縁に、フレームを配してもよい。
このフレームは、太陽電池の周縁を保持して桁行き方向に沿う端縁を後述する横支持材に支持される構成であり、それ以外の構成は特に限定するものではない。
【００２５】
前記継手捨板は、太陽電池パネルの周縁のうち、流れ方向に沿う端縁の裏面側に配されるものであって、太陽電池パネルの縦方向（流れ方向）の寸法（長さ）と略同一か短く形成される定尺材である。
この継手捨板は、長さ方向に沿う排水路を備え、その端縁が後述する横支持材の流水空間に臨む（連絡される）ものであれば、その具体的構成は何等特定するものではない。
また、この継手捨板の排水路は、後述する横支持材に設けられる流水空間及び縦支持材の排水空間より高い位置に形成される。
【００２６】
前記横支持材は、太陽電池パネルの周縁のうち、桁行き方向に沿う端縁を支持するものであって、太陽電池パネルの横方向（桁行き方向）の寸法（長さ）と略同一か短く形成される定尺材である。
この横支持材は、後述する縦支持材に支持される被固定部と、前記太陽電池パネルを支持する支持部と、長さ方向に沿う流水空間を必須構成として備える。
【００２７】
前記横支持材の支持部は、太陽電池パネルの周縁のうち、水上側及び水下側の端縁を支持するものであって、後述する図示実施例のように前記流水空間の略中央に隆起部を設け、該隆起部に支持部を設けることが望ましい。太陽電池パネルの端縁から雨水が浸入しても、流水空間に導かれるからである。
【００２８】
前記横支持材の被固定部は、後述する縦支持材の側壁上端に支持されるものであり、その具体的形状については、特に限定するものではなく、後述する図示実施例のように、排水空間にてビス等で固定されるものでもよい。
【００２９】
前記横支持材の流水空間は、後述する縦支持材の排水空間よりも高い位置に形成されるものであり、後述する図示実施例のように水上側と水下側に別々に設けてもよい。
そして、この流水空間の側壁の上端に、前記継手捨板を受支するため、その排水路を流れる雨水が流水空間（特に水上側の流水空間）に導かれる。
【００３０】
前記縦支持材は、前記横支持材の少なくとも端縁を支持する部材であって、前記横支持材の被固定部を支持する支持部と、下地に固定される固定部と、長さ方向に沿う排水空間と、を必須構成として備え、単一部材からなる構成でも複数部材を組み合わせた構成でもよく、例えば後述する図示実施例のように固定部を備える第１部材と、排水部（排水空間）を備える第２部材とからなる構成でもよい。
また、この縦支持材は、横支持材の端縁を支持する箇所ばかりでなく、端縁以外を支持する箇所に配されていてもよく、この場合、横支持材はその端縁ばかりでなくその中間位置においても縦支持材にて支持されるので、より安定に支持される。
さらに、この縦支持材は、流れ方向に連続する通し材でもよいし、所定長さの定尺材を連結材にて接続した構成でもよい。なお、後述する図示実施例のように、縦支持材が第１部材と第２部材とで構成される場合には、第１部材としてはピース材でもよいが、第２部材としては第１部材の固定箇所と横支持材の配設位置の「ずれ」を吸収するため通し材が好ましい。
【００３１】
前記縦支持材の支持部は、前記横支持材の被固定部を支持するものであって、例えば後述する図示実施例のように排水部（排水空間）の側壁上端に二股状に分岐して安定に支持するようにしてもよい。なお、この二股状の側壁上端は、安定な支持部としても、取付ボルトの保持部としても利用できる。
また、前述のように縦支持材を前記横支持材の端縁以外に配設してもよいが、この場合の支持部には、上向きの取付ボルトを保持することができる保持部を設けてもよい。この保持部に取付ボルトを保持させる場合には、横支持材を取り付け固定できるため、ズレ動くことなく安定に取り付けられ、太陽電池パネルの取付安定性もまたより一層向上する。
【００３２】
前記縦支持材の固定部は、下地上に固定されるものであり、後述する図示実施例のように既設屋根を下地とするものでもよいし、母屋としての梁又はその上に配した下地板に固定具を打ち込んで固定するものでもよいし、後述する図示実施例のように既設屋根を貫いて躯体に固定するものでもよい。また、梁が高強度鋼材の場合などには、一種又は二種以上の固定金具を介して梁に穴を形成することなく取り付けるようにしてもよく、また、この固定部の具体的形状については、特に限定するものではない。
【００３３】
また、前記縦支持材の排水部は、流れ方向に連続する排水空間を形成するものであって、一般的に樋状に形成されるものである。
前記横支持材を載置状に取り付ける（支持させる）側壁は、この排水部の側壁（側面部）を兼ねる。
そして、この排水空間に導かれた雨水は、流れ方向に沿って水下方向へ排水される。
【００３４】
この縦支持材は、前述のように複数部材を組み合わせて構成されるものでもよく、前記固定部を備える第１部材と、前記支持部及び前記排水部を備える第２部材とからなる構成でもよく、例えば第１部材はピース材でもよく、各種の排水部材を第２部材として組み合わせればよく、簡易構成の各部材を組み合わせて縦支持材とできるので、製作費用などを抑えることができる。なお、横支持材の端縁以外を支持する箇所に配される縦支持材としては、第１部材ばかりでなく第２部材もピース材でよい。
【００３５】
また、これらの第１部材と第２部材との連結手段については、特に限定するものではなく、例えば後述する図示実施例のように、第２部材に設けた係止片に係合させた連結板を第１部材に固着具にて固定してもよい。この場合、第１部材と第２部材とが連結板及び固着具によって強固に一体化されたものとなる。
【００３６】
また、これらの第１部材と第２部材との組み付け手段についても、特に限定するものではなく、例えば後述する図示実施例のように、第１部材が、固定部の左右に間隔を隔てて起立部を備え、該起立部間の間隔に第２部材を取り付けてもよい。この場合、第２部材を嵌合状に取り付けることができるため、その取り付けが極めて容易となる。
【００３７】
さらに、後述する図示実施例（図４，５）のように第２部材の支持部及び排水部の裏面側に、上向きの取付ボルトを保持することができる保持部を設けるようにしてもよい、
この場合、横支持材の端縁とそれ以外の箇所では、前記第２部材を上下に反転させて横支持材を支持することができ、排水部を必要とする横支持材の端縁では、排水部の上端を横支持材を支持する支持部として用い、排水部を必要としないそれ以外の箇所では、上下に反転させて排水部の裏面に設けた保持部に取付ボルトを保持させて横支持材を取付ボルトにて取り付けることができる。
【００３８】
前述のように太陽電池パネルとしては、様々な種類が提供され、その縦横のサイズにも規定がないため、多種の寸法のものが市販されている。どのような縦横のサイズの太陽電池パネルを選定したとしても、選定した太陽電池パネルに応じ、流れ方向に隣接する太陽電池パネルの端縁の裏面側には、継手捨板を配して接続し、桁行き方向に隣接する太陽電池パネルの端縁を横支持材で支持して接続すればよく、これにより太陽電池パネルの水上側及び水下側の端縁を横支持材にて支持することができる。
そして、前記横支持材は、下地に固定した縦支持材に支持させればよく、雨水は、順次連結された継手捨板の排水路から、横支持材の流水空間へ、さらに縦支持材の排水空間へと導かれて排水することができる。
【実施例１】
【００３９】
図１及び図２に示す本発明の第１実施例の外装構造は、太陽電池１１を備える太陽電池パネル１と、その流れ方向に沿うフレーム１２Ｃ，１２Ｄの裏面側に配される継手捨板２と、その桁行き方向に沿うフレーム１２Ａ，１２Ｂを支持する横支持材３と、該横支持材３を支持する縦支持材４と、からなり、前記継手捨板２に設けた排水路２１は前記横支持材３に設けた流水空間３１に連絡され、前記流水空間３１は前記縦支持材４に設けた排水空間４１に連絡されている構成である。
【００４０】
前記太陽電池パネル１は、太陽電池１１の周縁にフレーム１２Ａ〜１２Ｄを配したものであり、各フレーム１２Ａ〜１２Ｄは、図３（ａ）に示すようにシール材１３を介して太陽電池１１の端縁を保持する略コ字状の保持部１２１を備え、前記保持部１２１から下方へ延在して横支持材３に支持される被支持部１２２を備える簡易な構成である。
なお、太陽電池パネル１の流れ方向に沿うフレーム１２Ｃ，１２Ｄは、桁行き方向に沿うフレーム１２Ａ，１２Ｂに比べて被支持部１２２が幅広に成形されている。また、桁行き方向に沿うフレーム１２Ａ，１２Ｂ間、即ちこの太陽電池パネル１，１の流れ方向の接続部分の表面には横桟カバー７Ａを配して接続している。
【００４１】
前記継手捨板２は、太陽電池パネル１の縦方向（流れ方向）の寸法（長さ）と略同一に形成され、長さ方向に沿う排水路２１を備える樋状材である。
図示実施例の継手捨板２は、図３（ｂ）に示すように側壁の上端が内側に折り返され、排水路２１の水下側の先端に傾斜状の雨水の落下口２１１を設けており、後述する横支持材３の流水空間３１に連絡され、具体的には流水空間３１の側壁を兼ねる起立片３４の上端（支持片３４１）に固定具２ｂにて固定されている。この外装構造において、この継手捨板２の排水路２１は、後述する横支持材３に設けられる流水空間３１及び縦支持材４の排水空間４１より高い位置に配される。
【００４２】
前記横支持材３は、前記太陽電池パネル１の水上側の端縁及び水下側の端縁を支持する横桟であって、縦支持材４に支持される被固定部３３と、長さ方向に沿う流水空間３１と、太陽電池パネル１を支持する支持部３２と、を備え、前記太陽電池パネル１の横方向（桁行き方向）の寸法（長さ）と略同一に形成された定尺材である。
【００４３】
図示実施例の横支持材３は、図３（ｃ）に示すように左右対称の部材であって、底面部分の左右の外寄りに、流水空間３１，３１の側壁を兼ねる起立片３４，３４を備え、その内側に上方へ延在する中央起立片３５，３５を備える。言い換えると、前記起立片３４，３４と前記中央起立片３５，３５との間が前記流水空間３１，３１であり、左右にそれぞれ形成され、その流水空間３１，３１の端縁が縦支持材４に支持される被固定部３３である。
また、前記起立片３４の外側には上向き片３６が設けられ、該上向き片３６に下方が解放する係合溝３７を有する固定板３ｂが上方から取り付けられ、後述する縦支持材４（第２部材）に保持された取付ボルト４ｇを取り付け、ナット３ｃにて固定している。なお、これらの上向き片３６や固定板３ｂに代えて単純なボルト・ナットによる締着やビス止めを採用してもよい。
さらに、前記起立片３４，３４の上端には内側へ折り曲げられたフランジ状の支持片３４１，３４１が設けられ、前記継手捨板２の端縁を支持し、図３（ｂ）に二点鎖線で示す固定具２ｂにて固定している。
なお、前記左右の中央起立片３５，３５の高さの中程に前記太陽電池パネル１を支持する横片状の支持部３２，３２が設けられ、この中央起立片３５，３５の上端には、横桟カバー７Ａを取り付ける支持台状部３８が設けられている。
【００４４】
図示実施例の横支持材３の被固定部３３は、縦支持材４に支持される流水空間３１の端縁と説明したが、後述する縦支持材４は、横支持材３の端縁以外を支持する箇所にも配されている（この縦支持材を４'とする）ので、被固定部（３３'と表記して区別する）は縦支持材４'に支持される箇所にも設けられる。
また、図示実施例の支持台状部３８には、太陽電池パネル１の桁行き方向に沿うフレーム１２Ａ，１２Ｂに跨って配設される横桟カバー７Ａを固定するための連結ボルト７ｂを保持するための取付溝が長さ方向に設けられている。なお、横桟カバー７Ａには、連結ボルト７ｂを挿通させる通孔が形成されている。
取付溝は、六角ボルトである連結ボルト７ｂの頭部が嵌合保持され、しかも締め付け時に回転することなく保持される寸法に形成されている。
そして、前記横支持材３の支持台状部３８に上向きに連結ボルト７ｂを保持させた状態で太陽電池パネル１，１を配設し、連結ボルト７ｂを通孔に挿通させつつ太陽電池パネル１，１の桁行き方向に沿うフレーム１２Ａ，１２Ｂに跨るように横桟カバー７Ａを配し、ナットである締付具７ｃを連結ボルト７ｂの上端に螺合させて締め付けると、横桟カバー７Ａは横支持材３に強固に取り付けられる。
【００４５】
横桟カバー７Ａは、図２に示すように流れ方向に隣接する太陽電池パネル１，１のフレーム１２Ａ，１２Ｂ間に固定されるものであり、水上側のフレーム１２Ａの下側に保持され、水下側のフレーム１２Ｂの上側に固定具７ｂにて固定されている。
【００４６】
前記縦支持材４は、図１に示すように下地に固定されるものであり、図示実施例では既設屋根６（外装材６１）を貫いて躯体５に固定されるものであり、既設屋根６に沿わせる固定部４２を備える第１部材４Ａと、前記横支持材３の被固定部３３を支持する支持部４３及び長さ方向に沿う排水部（排水空間）４１を備える第２部材４Ｂとからなる。
図示実施例の縦支持材４は、前記横支持材３の端縁を支持する箇所ばかりでなく、端縁以外を支持する箇所にも配され（この縦支持材を４'とする）る構成である。
【００４７】
図示実施例の固定部４２は、既設屋根６（外装材６１）に沿わせる第１部材４Ａの横片部分であり、この固定部４２の略中央を長ビス４ｃにて固定し、この長ビス４ｃは既設屋根６を貫いて躯体５に至るように打ち込んだ。
図時実施例の第１部材４Ａは、図３（ｅ）に示すように固定部４２の左右に間隔を隔てて起立部４４，４４が形成され、この起立部４４には、上方が解放する溝状保持部４４１が設けられ、該溝状保持部４４１に上向きボルト４ｄの頭部が保持されている。
前記起立部４４，４４間の間隔が、後述する第２部材４Ｂの配設位置に相当し、嵌合状に取り付けることができる。
【００４８】
図示実施例の第２部材４Ｂには、図３（ｄ）に示すように長さ方向に沿う排水部（排水空間）４１と前記横支持材３を支持する支持部４３が設けられ、排水空間４１を形成する樋状の排水部の側壁（側面部）上端に、二股状に分岐して前記横支持材３を安定に支持する構成とした。なお、この二股状の側壁上端は、安定な二股の支持部４３としても利用でき、その二股（溝状部分）は上向きの取付ボルト４ｇの保持部４７としても利用できる。
なお、図示実施例の縦支持材４は、前述のように前記横支持材３の端縁に配設した部材を指し、前記横支持材３の長さの中程の裏面側に配設した部材を縦支持材４'として区別するが、端縁に配した縦支持材４における支持部４３は二股の支持部４３としてのみ利用する例であり、中程に配した縦支持材４'における二股状部分は、支持部４３としても、取付ボルト４ｇの保持部４７としても用いられる例である。
【００４９】
また、第２部材４Ｂには、側壁（側面部）の中程から外側上方へ係止片４５が設けられ、下方が解放する係合溝４６を有する連結板４ｅが上方から取り付けられ、前記第１部材４Ａに保持された上向きボルト４ｄを取り付け、ナット４ｆにて固定している。
そして、第１部材４Ａと第２部材４Ｂとを一体化して縦支持材４，４'とするには、第１部材４Ａの起立部４４，４４間の間隔に第２部材４Ｂを上方から嵌合状に配設し、図３（ｄ），（ｅ）に跨る一点鎖線にて示すように連結板４ｅが上方から配して係合溝４６を第２部材４Ｂの係止片４５に係合させると共に、第１部材４Ａに保持された上向きボルト４ｃを挿通させた状態で上方からナット４ｆを固定することにより、第１部材４Ａと第２部材４Ｂとが連結板４ｅにて一体的に連結されて縦支持材４，４'となる。
【００５０】
このような構成を有して前記横支持材３の端縁及び長さの中程を支持する縦支持材４，４'は、支持部４３にて前記横支持材３の底部を支持するが、加えて長さの中程を支持する縦支持材４'は、上向きの取付ボルト４ｇを保持しており、該取付ボルト４ｇが前記横支持材３の上向き片３６に取り付けられる固定板３ｂを挿通する状態でナット３ｃが取り付けられ、支持するばかりでなく強固に固定されるものである。
【００５１】
これらの各部材から構成される本発明の太陽電池パネル１を用いた外装構造は、選定した太陽電池パネル１に応じ、流れ方向に隣接する端縁の裏面側には、継手捨板２を配して接続し、桁行き方向に隣接する端縁を横支持材３で支持して接続するものであり、継手捨板２に排水路２１を、横支持材３に流水空間３１を、縦支持材４に排水空間４１を設け、排水路２１を流水空間３１に連絡し、流水空間３１を排水空間４１に連絡しているので、雨水や結露水は、排水路２１を流れ方向に、次に流水空間３１を桁行き方向に、そして排水空間４１を流れ方向に流下するものとなる。
したがって、各メーカーの様々な太陽電池パネル１の寸法に応じて適宜に調整してその流れ方向の端縁の裏面側に継手捨板２を配し、桁行き方向の端縁を横支持材３で支持するように配せばよく、各種の下地又は外装構造の上に、各メーカーの様々な太陽電池パネル１を好みに応じて選択して取り付けることができる。
また、本発明における外装構造では、横支持材３に対して複数の太陽電池パネル１が支持される構造となる。すなわち太陽電池パネル１，１の流れ方向の端縁の裏面側に継手捨板２が配設され、該継手捨板２の水下側が横支持材３に支持されるので、横支持材３の水上側には、複数の太陽電池パネル１の水下側の端縁が支持されることになる。そして、縦支持材４，４間毎に横支持材３が存在しないため、横のラインがずれることが少なく、縦支持材４の上方は、太陽電池パネル１によって覆われる構造を形成している。その結果、カバー等の目地材に関しては横桟カバー７Ａが存在するだけで、その数を減らすことができる。
【００５２】
また、この第１実施例では、縦支持材４，４'が、横支持材３の端縁を支持する箇所と、端縁以外を支持する箇所に配されているので、横支持材３は、その端縁ばかりでなくその中間位置においても縦支持材４，４'にて支持されるので、より安定に支持されるものとなり、それに伴って太陽電池パネル１の取付安定性もまたより一層向上する。
【００５３】
また、この第１実施例では、少なくとも横支持材３の端縁以外を支持する箇所に配されている縦支持材４'は、支持部４３に上向きの取付ボルト４ｇを保持して、横支持材３を取り付け固定しているので、横支持材３を強固に取り付けることができ、それに伴って端縁は支持するだけでよいものとなる。
【００５４】
また、この第１実施例では、縦支持材４が、下地５への固定部４２を備える第１部材４Ａと、横支持材３を支持する支持部４３及び排水空間４１を形成する排水部を備える第２部材４Ｂと、からなるので、第１部材４Ａはピース材でもよく、各種の排水部材を第２部材４Ｂとして組み合わせればよく、簡易構成の各部材を組み合わせて縦支持材４とする際には特に製作費用などを抑えることができる。
【００５５】
また、この第１実施例では、縦支持材４が、第２部材４Ｂに設けた係止片４５に係合させた連結板４ｅを第１部材４Ａに固着具４ｄ，４ｆにて固定して連結したので、第１部材４Ａと第２部材４Ｂとが連結板４ｅ及び固着具４ｄ，４ｆによって強固に一体化されたものとなる。
【００５６】
また、この第１実施例では、縦支持材４を構成する第１部材４Ａが、固定部４２の左右に間隔を隔てて起立部４，４４を備え、該起立部４４，４４間の間隔に第２部材４Ｂを取り付けて連結したので、第２部材４Ｂを嵌合状に取り付けることができるため、その取り付けが極めて容易となる。
【００５７】
図４及び図５に示す本発明の第２実施例の外装構造は、縦支持材８を構成する第２部材８Ｂは、支持部８３及び排水部８１の裏面側に、上向きの取付ボルト８ｇを保持できる保持部８７が設けられ、横支持材３"の端縁とそれ以外の箇所では、前記第２部材８Ｂを上下に反転させて横支持材３"を支持している例であり、それ以外の構成は、前記第１実施例とほとんど同様であるから、図面に同一符号を付して説明を省略するが、前記第１実施例と同様の効果が果たされる。例えば横支持材３"については、後述する特記事項以外については、殆ど前記第１実施例と同様であるから、その部位については、図面に同一符号を付して説明を省略する。
なお、前記第１実施例では縦支持材に関する部位や部材を表記及び符号を４系列で示したが、この第２実施例では８系列で示す。例えば前記第１実施例における第１部材４Ａ、第２部材４Ｂ及びその他の金具類４ｃ〜４ｇは、この第２実施例においては、第１部材８Ａ、第２部材８Ｂ及びその他の金具類８ｃ〜８ｇと表記する。
【００５８】
前述のようにこの第２実施例では、縦支持材８を構成する第２部材８Ｂは、支持部８３及び排水部８１の裏面側に、上向きの取付ボルト８ｇを保持できる保持部８７（保持していないが保持可能な部分を「８７」と表記した）が設けられ、横支持材３"の端縁とそれ以外の箇所では、前記第２部材８Ｂを上下に反転させて横支持材３"を支持する構成であり、第１部材８Ａは、前記第１実施例における第１部材４Ａと略同様の部材を用いた。なお、便宜的に横支持材３"の端縁に配する縦支持材を第１部材８Ａと第２部材８Ｂとからなる縦支持材８とし、長さの中程の裏面側に配する縦支持材を第１部材８Ａ"と第２部材８Ｈとからなる縦支持材８"とする。これら第２部材８Ｂ，８Ｈとして用いた部材は、表裏に保持部が設けられた形状ということができる。
要するに、図示実施例における第１実施例の縦支持材４と第２実施例の縦支持材８との相違は、第２部材８Ｂの排水部（８１）の裏面側に４本（枚）の脚状片８８が設けられているか否かの違いである。
【００５９】
そして、前記縦支持材８を上下に反転して縦支持材８"として横支持材３"の長さの中程の裏面側に配する場合には、前記脚状片８８が上方に延在する起立片状になり、最外側の脚状片８８とその内側の脚状片８８との間の溝状部分（二箇所）が取付ボルト８ｇの保持部８７となる。
また、略中央の溝状部分には、上向きボルト８ｄを挿通する孔が形成され、該孔から上向きボルト８ｄの上端を突出させた状態でナット８ｆにて固定することができ、連結板８ｅや係止片８５を必要とせずに第１部材８Ａと第２部材８Ｈを連結することができる。
【００６０】
この第２実施例では、横支持材３"の端縁を支持する縦支持材８は、前記第１実施例とほぼ同様に施工でき、固定部８２の左右に間隔を隔てて起立部８４，８４が形成される第１部材８Ａを、既設屋根６（外装材６１）に沿わせ、その固定部８２の略中央を長ビス４ｃにて固定する。この長ビス４ｃは既設屋根６を貫いて躯体５に至るように打ち込まれている。そして、前記起立部８４，８４間の間隔に第２部材８Ｂを嵌合状に取り付ける。第２部材８Ｂには、側壁（側面部）の中程から外側上方へ係止片８５が設けられ、下方が解放する係合溝８６を有する連結板８ｅが上方から取り付けられ、前記第１部材８Ａに保持された上向きボルト８ｄを取り付け、ナット８ｆにて固定することにより、第１部材８Ａと第２部材８Ｂとが連結板８ｅにて一体的に連結されて縦支持材８となる。
【００６１】
一方、横支持材３"の長さの中程の裏面側に配される縦支持材８"は、排水空間８１よりも狭幅に形成される第１部材８Ａ"を、既設屋根６（外装材６１）に沿わせ、その固定部８２の略中央を長ビス４ｃにて固定する。この長ビス４ｃは既設屋根６を貫いて躯体５に至るように打ち込まれている。そして、この第１部材８Ａ"を覆うように第２部材８Ｈを取り付ける。第１部材８Ａには上向きボルト８ｄが保持され、第２部材８Ｂには略中央の溝状部分に孔が形成されているので、該孔から上向きボルト８ｄの上端を突出させてナット８ｆにて固定することにより、第１部材８Ａ"と第２部材８Ｈとが上向きボルト８ｄとナット８ｆにて一体的に連結されて縦支持材８"となる。
【００６２】
この第２実施例では、その他の構成も殆ど前記第１実施例と同様であり、横桟カバー７Ａ"の形状は異なるものの、前記第１実施例と同様に、横支持材３"の略中央に保持させた取付ボルト７ｂに対し、ナットである締付具７ｃにて締め付けて取り付ける構成を採用した。
【００６３】
そして、この第２実施例では、前記第１実施例と全く同様の効果が果たされ、それ以外にも、以下の効果が果たされる。
排水部（８１）を必要とする横支持材３"の端縁では、排水部（８１）の上端を横支持材３"を支持する支持部８３として用い、排水部（８１）を必要としないそれ以外の箇所では、上下に反転させて排水部（８１）の裏面に設けた保持部８７に取付ボルト８ｇを保持させて横支持材３"を取付ボルト８ｇにて強固に取り付けることができる。
また、この第２実施例における第１部材８Ａ"の加工は、単純な切断のみでよい。
【符号の説明】
【００６４】
１  太陽電池パネル
１１  太陽電池（太陽エネルギー変換モジュール）
１１１  ケーブル
１２，１２Ａ，１２Ｂ，１２Ｃ，１２Ｄ  フレーム
２  継手捨板
２ｂ  固定具
２１  排水路
２１１  落下口
３，３"  横支持材
３ｂ  固定板
３ｃ  ナット
３１  流水空間
３２  支持部
３３  被固定部
３４  起立片
３５  中央起立片
３６  上向き片
３７  係合溝
３８  支持台状部
４，４'  縦支持材
４Ａ  第１部材
４Ｂ  第２部材
４ｃ  長ビス
４ｄ  上向きボルト
４ｅ  連結板
４ｆ  ナット
４ｇ  取付ボルト
４１  排水空間
４２  固定部
４３  支持部
４４  起立部
４４１  溝状保持部
４５  係止片
４６  係合溝
４７  保持部
５  躯体（梁、母屋）
６  既設屋根
６１  外装材
７Ａ，７Ａ"  横桟カバー
７ｂ  取付ボルト
７ｃ  締付具
８，８"  縦支持材
８Ａ，８Ａ"  第１部材
８Ｂ，８Ｈ  第２部材
８ｃ  長ビス
８ｄ  上向きボルト
８ｅ  連結板
８ｆ  ナット
８ｇ  取付ボルト
８１  排水空間
８２  固定部
８３  支持部
８４  起立部
８４１  溝状保持部
８５  係止片
８６  係合溝
８７  保持部
【図１】
2014185513.tif 000003
【図２】
2014185513.tif 000004
【図３】
2014185513.tif 000005
【図４】
2014185513.tif 000006
【図５】
2014185513.tif 000007
【図６】
2014185513.tif 000008